(57)【要約】【課題】フレキシブル表示パネルのフレキシブル特性に最適化したイメージを表示する表示装置を提供する。【解決手段】表示装置は、第１方向に可変的に露出する表示面積を形成し、導電パターンを含むフレキシブル表示パネル、前記第１方向上で前記導電パターンと対応して位置するセンシングパターン、および前記導電パターンおよびセンシングパターンのうちのいずれか１つに流れる電流をセンシングし、前記フレキシブル表示パネルの前記表示面積に対応するイメージ（ｉｍａｇｅ）を前記フレキシブル表示パネルに表示する制御部を含む。【選択図】図２
2014002348.tif 000002
【特許請求の範囲】
【請求項１】
第１方向に可変的に露出する表示面積を形成し、導電パターンを含むフレキシブル表示パネルと、
前記第１方向上で前記導電パターンと対応して位置するセンシングパターンと、
前記導電パターンおよびセンシングパターンのうちのいずれか１つに流れる電流をセンシングし、前記フレキシブル表示パネルの前記表示面積に対応するイメージ（ｉｍａｇｅ）を前記フレキシブル表示パネルに表示する制御部と、
を含む、表示装置。
【請求項２】
前記センシングパターンと前記導電パターンは互いに離隔する、請求項１に記載の表示装置。
【請求項３】
前記制御部は、
前記導電パターンおよび前記センシングパターンそれぞれに電圧を供給する電圧部と、
前記導電パターンに流れる電流をセンシングするセンシング部と、
を含む、請求項２に記載の表示装置。
【請求項４】
前記センシングパターンと前記導電パターンは互いに接触する、請求項１に記載の表示装置。
【請求項５】
前記センシングパターンは、前記第１方向に離隔した第１サブセンシングパターンおよび第２サブセンシングパターンを含み、
前記制御部は、前記第１サブセンシングパターンおよび前記第２サブセンシングパターンそれぞれに電圧を供給する電圧部と、
前記センシングパターンに流れる電流をセンシングするセンシング部と、
を含む、請求項４に記載の表示装置。
【請求項６】
前記フレキシブル表示パネルの前記表示面積が前記第１方向に可変的に露出するように、前記フレキシブル表示パネルが前記第１方向に沿って内部に出入りするハウジングをさらに含む、請求項１に記載の表示装置。
【請求項７】
前記ハウジングは、
前記ハウジング内部に位置し、前記フレキシブル表示パネルが巻かれるロール部を含む、請求項６に記載の表示装置。
【請求項８】
前記センシングパターンは、前記導電パターンと対応して前記ハウジング内部に位置する、請求項６に記載の示装置。
【請求項９】
前記フレキシブル表示パネルの前記表示面積が前記第１方向に可変的に露出するように、前記フレキシブル表示パネルの一端部は、前記フレキシブル表示パネルの一領域が折り畳まれて前記第１方向上に位置する前記フレキシブル表示パネルの板面と接する、請求項１に記載の表示装置。
【請求項１０】
前記センシングパターンは、前記フレキシブル表示パネルの前記一端部に位置する、請求項９に記載の表示装置。
【請求項１１】
前記導電パターンは、前記第１方向に沿って前記フレキシブル表示パネルに形成される、請求項１〜９のうちのいずれか一項に記載の表示装置。
【請求項１２】
前記導電パターンは、前記第１方向に沿って互いに離隔配置された複数のサブパターンを含む、請求項１１に記載の表示装置。
【請求項１３】
前記複数のサブパターンそれぞれは、前記第１方向にいくほど前記第１方向と交差する第２方向に長さが漸進的に長くなるか短くなる、請求項１２に記載の表示装置。
【請求項１４】
前記導電パターンは、前記第１方向にいくほど前記第１方向と交差する第２方向に長さが漸進的に長くなるか短くなる、請求項１１に記載の表示装置。
【発明の詳細な説明】
【技術分野】
【０００１】
本発明は表示装置に関し、より詳細には、フレキシブル（ｆｌｅｘｉｂｌｅ）表示パネルを含む表示装置に関する。
【背景技術】
【０００２】
表示装置はイメージを表示する装置であって、最近ではフレキシブル表示装置（ｆｌｅｘｉｂｌｅ  ｄｉｓｐｌａｙ  ｄｅｖｉｃｅ）が注目を集めている。
【０００３】
従来のフレキシブル表示装置は、イメージ（ｉｍａｇｅ）を表示するフレキシブル表示パネルを含む装置であって、フレキシブル表示パネルが柔軟に動くことによってフレキシブル表示パネルを折り畳んだりロール（ｒｏｌｌ）に巻いたりし、全体的なフレキシブル表示装置のサイズを減らして携帯することができた。
【発明の概要】
【発明が解決しようとする課題】
【０００４】
本発明の一実施形態は、フレキシブル表示パネルのフレキシブル特性に最適化したイメージを表示する表示装置を提供することを目的とする。
【課題を解決するための手段】
【０００５】
上述した技術的課題を達成するために、本発明の一側面は、第１方向に可変的に露出する表示面積を形成し、導電パターンを含むフレキシブル表示パネル、前記第１方向上で前記導電パターンと対応して位置するセンシングパターン、および前記導電パターンおよびセンシングパターンのうちのいずれか１つに流れる電流をセンシングし、前記フレキシブル表示パネルの前記表示面積に対応するイメージ（ｉｍａｇｅ）を前記フレキシブル表示パネルに表示する制御部を含む表示装置を提供する。
【０００６】
前記センシングパターンと前記導電パターンは、互いに離隔してもよい。
【０００７】
前記制御部は、前記導電パターンおよび前記センシングパターンそれぞれに電圧を供給する電圧部、および前記導電パターンに流れる電流をセンシングするセンシング部を含んでもよい。
【０００８】
前記センシングパターンと前記導電パターンは、互いに接触してもよい。
【０００９】
前記センシングパターンは、前記第１方向に離隔した第１サブセンシングパターンおよび第２サブセンシングパターンを含み、前記制御部は、前記第１サブセンシングパターンおよび前記第２サブセンシングパターンそれぞれに電圧を供給する電圧部、および前記センシングパターンに流れる電流をセンシングするセンシング部を含んでもよい。
【００１０】
前記フレキシブル表示パネルの前記表示面積が前記第１方向に可変的に露出するように、前記フレキシブル表示パネルが前記第１方向に沿って内部に出入りするハウジングをさらに含んでもよい。
【００１１】
前記ハウジングは、前記ハウジング内部に位置し、前記フレキシブル表示パネルが巻かれるロール部を含んでもよい。
【００１２】
前記センシングパターンは、前記導電パターンと対応し、前記ハウジング内部に位置してもよい。
【００１３】
前記フレキシブル表示パネルの前記表示面積が前記第１方向に可変的に露出するように、前記フレキシブル表示パネルの一端部は、前記フレキシブル表示パネルの一領域が折り畳まれて前記第１方向上に位置する前記フレキシブル表示パネルの板面と接してもよい。
【００１４】
前記センシングパターンは、前記フレキシブル表示パネルの前記一端部に位置してもよい。
【００１５】
前記導電パターンは、前記第１方向に沿って前記フレキシブル表示パネルに形成されてもよい。
【００１６】
前記導電パターンは、前記第１方向に沿って互いに離隔配置された複数のサブパターンを含んでもよい。
【００１７】
前記複数のサブパターンそれぞれは、前記第１方向にいくほど前記第１方向と交差する第２方向に長さが漸進的に長くなるか短くなってもよい。
【００１８】
前記導電パターンは、前記第１方向にいくほど前記第１方向と交差する第２方向に長さが漸進的に長くなるか短くなってもよい。
【発明の効果】
【００１９】
上述した本発明の課題解決手段の一実施形態のうちの１つによれば、フレキシブル表示パネルのフレキシブル特性に最適化したイメージを表示する表示装置が提供される。
【図面の簡単な説明】
【００２０】
【図１】本発明の第１実施形態に係る表示装置を示す図である。
【図２】本発明の第１実施形態に係る表示装置の断面を示す図である。
【図３】本発明の第１実施形態に係る表示装置のフレキシブル表示パネルを示す図である。
【図４】本発明の第１実施形態に係る表示装置のフレキシブル表示パネルが表示するイメージを示す図である。
【図５】本発明の第２実施形態に係る表示装置のフレキシブル表示パネルを示す図である。
【図６】本発明の第３実施形態に係る表示装置を示す図である。
【図７】本発明の第３実施形態に係る表示装置のフレキシブル表示パネルを示す図である。
【図８】本発明の第４実施形態に係る表示装置を示す図である。
【図９】本発明の第４実施形態に係る表示装置のフレキシブル表示パネルを示す図である。
【図１０】本発明の第４実施形態に係る表示装置のセンシング方法を説明するための図である。
【図１１】本発明の第４実施形態に係る表示装置のセンシング方法を説明するための図である。
【発明を実施するための形態】
【００２１】
以下、添付の図面を参照しながら、本発明の多様な実施形態について、本発明が属する技術分野において通常の知識を有する者が容易に実施できるように詳しく説明する。本発明は多様に相違した形態で実現されることができ、ここで説明する実施形態に限定されることはない。
【００２２】
本発明を明確に説明するために、説明上で不必要な部分は省略し、明細書全体に渡って同一または類似する構成要素については同一する参照符号を付与する。
【００２３】
また、図面に示す各構成の大きさおよび厚さは、説明の便宜のために任意に示したものであり、本発明が必ずしも示されたものに限定されることはない。
【００２４】
図面において、多様な層および領域を明確に表現するために、厚さを拡大して示した。また、図面において、説明の便宜のために、一部層および領域の厚さを誇張して示した。一部分が他の部分「上に」あるとするとき、これは他の部分の「直ぐ上に」ある場合だけではなく、その中間にさらに他の部分がある場合も含む。
【００２５】
また、明細書全体において、ある部分がある構成要素を「含む」とするとき、これは特に反対となる記載がない限り、他の構成要素を除くのではなく、他の構成要素をさらに包含し得ることを意味する。さらに、明細書全体において、「〜上に」ということは、対象部分の上または下に位置することを意味するものであり、必ずしも重力方向を基準として上側に位置することを意味するものではない。
【００２６】
以下、図１〜図４を参照しながら、本発明の第１実施形態に係る表示装置を説明する。
【００２７】
図１は、本発明の第１実施形態に係る表示装置を示す図である。
【００２８】
図１に示すように、本発明の第１実施形態に係る表示装置は、フレキシブル表示パネル１００、ハウジング２００、センシングパターン３００、および制御部４００を含む。
【００２９】
フレキシブル表示パネル１００は、表示装置で処理されるイメージ（ｉｍａｇｅ）を表示する。一例として、表示装置が携帯電話機などの移動端末器である場合、通話に関するＵＩ（Ｕｓｅｒ  Ｉｎｔｅｒｆａｃｅ）またはＧＵＩ（Ｇｒａｐｈｉｃ  Ｕｓｅｒ  Ｉｎｔｅｒｆａｃｅ）などのイメージを表示してもよい。フレキシブル表示パネル１００は、液晶（ｌｉｑｕｉｄ  ｃｒｙｓｔａｌ）または有機発光素子（ｏｒｇａｎｉｃ  ｌｉｇｈｔ  ｅｍｉｔｔｉｎｇ  ｄｉｏｄｅ）などを間において互いに対向するフレキシブルな基板またはフィルムなどを含んでもよい。フレキシブル表示パネル１００は、フレキシブル表示パネル１００を通じて外部を見ることができるように、透明型または光透過型で構成される。フレキシブル表示パネル１００の前面には、タッチフィルム、タッチシート、タッチパッドなどの形態を有してタッチ（ｔｏｕｃｈ）動作を感知するタッチセンサが位置してもよい。フレキシブル表示パネル１００は制御部４００と連結しており、制御部４００から送信された信号に基づいてイメージを表示する。フレキシブル表示パネル１００はフレキシブルな特性を有しており、ハウジング２００の内部に出入りする。フレキシブル表示パネル１００はハウジング２００に対して第１方向に出入りし、フレキシブル表示パネル１００がハウジング２００の内部に出入りしながら、イメージ（ｉｍａｇｅ）が表示されるフレキシブル表示パネル１００の表示面積が第１方向に可変的に外部に露出する。すなわち、フレキシブル表示パネル１００は、第１方向に可変的に露出する表示面積を形成する。
【００３０】
図２は、本発明が第１実施形態に係る表示装置の断面を示す図である。図３は、本発明の第１実施形態に係る表示装置のフレキシブル表示パネルを示す図である。図３は、説明の便宜上、フレキシブル表示パネル１００の背面およびセンシングパターン３００を同時に示す図である。
【００３１】
図２および図３に示すように、フレキシブル表示パネル１００は、イメージが表示されたり表示されない背面の一領域に位置する導電パターン１１０を含む。
【００３２】
一方、本発明の第１実施形態に係る表示装置は、導電パターン１１０がイメージが表示されたり表示されないフレキシブル表示パネル１００背面の一領域に位置するが、これに限定されることはなく、本発明の他の実施形態に係る表示装置の導電パターンは、イメージが表示されたり表示されないフレキシブル表示パネル前面の一領域に位置してもよい。
【００３３】
導電パターン１１０は、フレキシブル表示パネル１００の前面、背面、または隣接する両基板の間に位置してもよく、フレキシブル表示パネル１００を構成する配線またはタッチセンサなどを形成するときに同時に形成されたり、追加でフレキシブル表示パネル１００の表面に形成されてもよい。導電パターン１１０は、導電性を有する導電体で形成されており、導電パターン１１０には制御部４００から供給された電圧によって電流が流れる。導電パターン１１０は、フレキシブル表示パネル１００がハウジング２００に対して出入りする方向である第１方向に沿ってフレキシブル表示パネル１００に形成されている。導電パターン１１０は、それぞれに制御部４００から供給された電圧によって電流が流れ、第１方向に沿って互いに離隔配置された複数のサブパターン１１０ａ〜１１０ｈを含む。複数のサブパターン１１０ａ〜１１０ｈは、第１方向にそれぞれが互いに同じ長さを有している。
【００３４】
一方、本発明の他の実施形態に係る表示装置において、複数のサブパターン１１０ａ〜１１０ｈは、第１方向にそれぞれが互いに異なる長さを有してもよい。具体的に、複数のサブパターン１１０ａ〜１１０ｈは、第１方向にいくほど第１方向と交差する第２方向に長さが漸進的に長くなるか短くなり、複数のサブパターン１１０ａ〜１１０ｈのうちの一端部サブパターン１１０ａから他端部サブパターン１１０ｈまでの複数のサブパターン１１０ａ〜１１０ｈそれぞれは、第１方向にいくほど第１方向と交差する第２方向に長さが漸進的に短くなる。これとは反対に、複数のサブパターン１１０ａ〜１１０ｈのうちの他端部サブパターン１１０ｈから一端部サブパターン１１０ａまでの複数のサブパターン１１０ａ〜１１０ｈそれぞれは、第１方向にいくほど第１方向と交差する第２方向に長さが漸進的に長くなる。
【００３５】
ハウジング２００は、フレキシブル表示パネル１００の一端を支持し、フレキシブル表示パネル１００の表示面積が第１方向に可変的に露出するように、フレキシブル表示パネル１００を第１方向に沿って内部に出入りさせる。ハウジング２００は、フレキシブル表示パネル１００が巻かれるロール部２１０を含む。ロール部２１０はハウジング２００の内部に位置しており、フレキシブル表示パネル１００の一端を支持している。ロール部２１０はフレキシブル表示パネル１００を巻き取り、フレキシブル表示パネル１００がハウジング２００に対して第１方向に出入りするようにする。ロール部２１０は受動的または能動的に自体回転してもよいが、ロール部２１０が自体回転することにより、フレキシブル表示パネル１００はハウジング２００に対して第１方向に出入可能となる。
【００３６】
ハウジング２００の内部には、センシングパターン３００が位置している。
【００３７】
センシングパターン３００は、フレキシブル表示パネル１００に形成された導電パターン１１０と対応し、第１方向上でハウジング２００の内部に位置している。センシングパターン３００は、制御部４００から供給された電圧によって電流が流れ、導電パターン１１０と互いに離隔している。センシングパターン３００と導電パターン１１０が互いに離隔した状態で、センシングパターン３００および導電パターン１１０それぞれに制御部４００から電圧が供給されることにより、センシングパターン３００と導電パターン１１０の間に空気（ａｉｒ）によって形成された空間には静電容量（ｃａｐａｃｉｔａｎｃｅ）が形成される。
【００３８】
制御部４００は、センシングパターン３００およびフレキシブル表示パネル１００と連結しており、導電パターン１１０に流れる電流をセンシングし、フレキシブル表示パネル１００が形成する可変的な表示面積に対応するイメージ（ｉｍａｇｅ）をフレキシブル表示パネル１００に表示する。制御部４００は、導電パターン１１０およびセンシングパターン３００それぞれに電圧を供給する電圧部４１０、および導電パターン１１０に流れる電流をセンシングするセンシング部４２０を含む。センシングパターン３００と導電パターン１１０が互いに離隔した状態で、センシングパターン３００および導電パターン１１０それぞれに制御部４００の電圧部４１０から電圧が供給されれば、センシングパターン３００と対応する導電パターン１１０の間に空気によって形成された空間に静電容量が形成されることにより、静電容量が形成された導電パターン１１０に流れる電流をセンシング部４２０がセンシングし、ハウジング２００に対して出入りして外部に第１方向に沿って可変的に露出するフレキシブル表示パネル１００の表示面積が制御部４００のセンシング部４２０によってセンシングされる。
【００３９】
具体的に、導電パターン１１０がセンシングパターン３００上を通過すれば、互いに対向する導電パターン１１０とセンシングパターン３００の間に静電容量が形成され、センシング部４２０は静電容量によって変化が発生した導電パターン１１０の電流変化をセンシングすることにより、ハウジング２００に対して出入りして外部に露出したフレキシブル表示パネル１００の表示面積がセンシング部４２０によってセンシングされる。センシング部４２０によってセンシングされた電流変化が発生した導電パターン１１０の座標値はデジタル値に換算され、制御部４００に認識される。
【００４０】
一例として、電圧部４１０によって複数のサブパターン１１０ａ〜１１０ｈとセンシングパターン３００の間に電圧が供給された状態で、複数のサブパターン１１０ａ〜１１０ｈのうちの一サブパターンがセンシングパターン３００と対向し、一サブパターンとセンシングパターン３００の間に静電容量が形成されれば、センシング部４２０が静電容量が形成された一サブパターンの電流変化をセンシングし、電流変化が発生する複数のサブパターン１１０ａ〜１１０ｈそれぞれをセンシングするため、複数のサブパターン１１０ａ〜１１０ｈそれぞれに応じて可変的に露出するフレキシブル表示パネル１００の表示面積をセンシングする。
【００４１】
このように、制御部４００は、フレキシブル表示パネル１００がハウジング２００に対して第１方向に出入りするとき、センシングパターン３００によって静電容量が形成される複数のサブパターン１１０ａ〜１１０ｈそれぞれに対応し、可変的に露出する表示面積をセンシングする。センシング部４２０がセンシングしたフレキシブル表示パネル１００の露出した表示面積に関する信号は、制御部４００に送信される。
【００４２】
図４は、本発明の第１実施形態に係る表示装置のフレキシブル表示パネルが表示するイメージを示す図である。
【００４３】
具体的に、図４の（ａ）に示すように、フレキシブル表示パネル１００がハウジング２００に対して第１方向に第１出入りして第１表示面積（ＤＳ１）が露出されれば、センシング部４２０は、複数のサブパターン１１０ａ〜１１０ｈのうちで第１表示面積（ＤＳ１）が露出したときのサブパターンの電流変化認識して第１表示面積（ＤＳ１）をセンシングし、第１表示面積（ＤＳ１）に関する信号を制御部４００に送信するが、制御部４００はこの信号を受信してフレキシブル表示パネル１００の第１表示面積（ＤＳ１）に対応する第１サイズのイメージを表示する。このとき、制御部４００は、第１表示面積（ＤＳ１）が露出したときのサブパターンに対応して露出したフレキシブル表示パネル１００の第１表示面積（ＤＳ１）に対応する値を格納したり、既に格納されている値をローディング（ｌｏａｄｉｎｇ）してもよい。
【００４４】
また、図４の（ｂ）に示すように、フレキシブル表示パネル１００がハウジング２００に対して第１方向に第２出入りし、第１表示面積（ＤＳ１）と対比して大きい第２表示面積（ＤＳ２）が露出されれば、センシング部４２０は、複数のサブパターン１１０ａ〜１１０ｈのうちで第２表示面積（ＤＳ２）が露出したときのサブパターンの電流変化を認識して第２表示面積（ＤＳ２）をセンシングし、第２表示面積（ＤＳ２）に関する信号を制御部４００に送信するが、制御部４００はこの信号を受信してフレキシブル表示パネル１００の第２表示面積（ＤＳ２）に対応する第２サイズのイメージを表示する。このとき、制御部４００は、第２表示面積（ＤＳ２）が露出したときのサブパターンに対応して露出したフレキシブル表示パネル１００の第２表示面積（ＤＳ２）に対応する値を格納したり、既に格納されているこの値をローディング（ｌｏａｄｉｎｇ）してもよい。
【００４５】
さらに、図４の（ｃ）に示すように、フレキシブル表示パネル１００がハウジング２００に対して第１方向に第３出入りし、第２表示面積（ＤＳ２）と対比して大きい第３表示面積（ＤＳ３）が露出されれば、センシング部４２０は、複数のサブパターン１１０ａ〜１１０ｈのうちで第３表示面積（ＤＳ３）が露出したときのサブパターンの電流変化を認識して第３表示面積（ＤＳ３）をセンシングし、第３表示面積（ＤＳ３）に関する信号を制御部４００に送信するが、制御部４００はこの信号を受信してフレキシブル表示パネル１００の第３表示面積（ＤＳ３）に対応する第３サイズのイメージを表示する。このとき、制御部４００は、第２表示面積（ＤＳ２）が露出したときのサブパターンに対応して露出したフレキシブル表示パネル１００の第２表示面積（ＤＳ２）に対応する値を格納したり、既に格納されているこの値をローディング（ｌｏａｄｉｎｇ）してもよい。
【００４６】
特に、ハウジング２００に対してフレキシブル表示パネル１００が第１方向に出入りするとき、センシング部４２０がフレキシブル表示パネル１００に形成された複数のサブパターン１１０ａ〜１１０ｈ全体に対する順序を認識するのではなく、センシング部４２０が複数のサブパターン１１０ａ〜１１０ｈそれぞれに対応するフレキシブル表示パネル１００の表示面積それぞれをセンシングし、複数のサブパターン１１０ａ〜１１０ｈそれぞれに対応するフレキシブル表示パネル１００の露出した表示面積それぞれを直接認知するため、表示装置はどんな状況および条件であっても、表示装置に電源さえ供給されれば、ハウジング２００に対するフレキシブル表示パネル１００の出入過程のモニタリング（ｍｏｎｉｔｏｒｉｎｇ）なく、現在露出している表示面積に対応するサブパターンの電流変化を認識し、その露出した表示面積に対応するサイズのイメージを表示する。
【００４７】
以上のように、本発明の第１実施形態に係る表示装置は、制御部４００のセンシング部４２０がフレキシブル表示パネル１００に形成された導電パターン１１０の電流をセンシングし、ハウジング２００に対して出入りして外部に露出したフレキシブル表示パネル１００の表示面積をセンシングし、この表示面積に対応するイメージをフレキシブル表示パネル１００に表示する。すなわち、フレキシブル表示パネル１００のフレキシブル特性に最適化したイメージを表示する表示装置が提供される。
【００４８】
特に、本発明の第１実施形態に係る表示装置は、ハウジング２００内部に位置するセンシングパターン３００と導電パターン１１０の間に形成される静電容量を利用してフレキシブル表示パネル１００に形成された導電パターン１１０の電流変化を認識し、ハウジング２００の内部に対して出入りして外部に露出したフレキシブル表示パネル１００の表示面積をセンシングするため、フレキシブル表示パネル１００の露出した板面がハウジング２００から排出されて非線形的に曲がったとしても、正確にハウジング２００から排出して外部に露出したフレキシブル表示パネル１００の表示面積をセンシングすることができる。すなわち、本発明の第１実施形態に係る表示装置は、フレキシブル表示パネル１００がハウジング２００から排出した後の全体面積をセンシングするのではなく、フレキシブル表示パネル１００がハウジング２００に対して出入りするとき、センシングパターン３００がリアルタイムでフレキシブル表示パネル１００の導電パターン１１０を認識して外部に露出したフレキシブル表示パネル１００の表示面積をセンシングするため、フレキシブル表示パネル１００の露出した板面が柔軟に動いて非線形的に曲がったとしても、導電パターン１１０を利用して外部に露出した正確なフレキシブル表示パネル１００の表示面積をセンシングし、この表示面積に対応するサイズのイメージを表示することができる。
【００４９】
さらに、本発明の第１実施形態に係る表示装置は、ロール部２１０の回転数をカウントして間接的にフレキシブル表示パネル１００の表示面積をセンシングしたり、赤外線または超音波などの距離測定手段を利用して広がった後のフレキシブル表示パネル１００の表示面積をセンシングするのではなく、フレキシブル表示パネル１００のフレキシブルな特性を考慮した上で、ハウジング２００に対してフレキシブル表示パネル１００が出入りするとき、フレキシブル表示パネル１００に形成された導電パターン１１０の電流変化をリアルタイムで認識してフレキシブル表示パネル１００の露出した表示面積をセンシングするため、フレキシブル表示パネル１００の可変的な表示面積に対応する正確なサイズのイメージが可変的にフレキシブル表示パネル１００に表示される。これは、表示装置に対するユーザの全体的な満足度を向上させる要因として作用する。
【００５０】
また、本発明の第１実施形態に係る表示装置は、ハウジング２００に対してフレキシブル表示パネル１００が第１方向に出入りするとき、センシングパターン３００がフレキシブル表示パネル１００に形成された複数のサブパターン１１０ａ〜１１０ｈ全体に対する順序を認識するのではなく、センシング部４２０が複数のサブパターン１１０ａ〜１１０ｈそれぞれに対応するフレキシブル表示パネル１００の表示面積それぞれをセンシングし、複数のサブパターン１１０ａ〜１１０ｈそれぞれに対応するフレキシブル表示パネル１００の露出した表示面積それぞれを直接認知するため、表示装置はどんな状況および条件であっても、表示装置に電源さえ供給されれば、ハウジング２００に対するフレキシブル表示パネル１００の出入過程のモニタリング（ｍｏｎｉｔｏｒｉｎｇ）なく、現在露出している表示面積に対応するサブパターンを認知し、その露出した表示面積に対応するサイズのイメージを表示する。すなわち、本発明の第１実施形態に係る表示装置は、センシング部４２０が複数のサブパターン１１０ａ〜１１０ｈそれぞれを独立的に区分して認知することにより、電源が突然切れた後に点いたり、フレキシブル表示パネル１００を広げた後に一定部分が再び巻き戻るなどのイベントが発生しても、追加の構成なく露出した表示面積に対応するサイズのイメージを表示する。
【００５１】
以下、図５を参照しながら、本発明の第２実施形態に係る表示装置を説明する。
【００５２】
以下、第１実施形態と区別される特徴的な部分のみを抜粋して説明するが、説明が省略された部分は第１実施形態に基づく。なお、本発明の第２実施形態では、説明の便宜のために、同じ構成要素に対しては本発明の第１実施形態と同じ参照番号を使用して説明する。
【００５３】
図５は、本発明の第２実施形態に係る表示装置のフレキシブル表示パネルを示す図である。図５は、説明の便宜上、フレキシブル表示パネル１０２の背面およびセンシングパターン３００を同時に示す図である。
【００５４】
導電パターン１１２は、フレキシブル表示パネル１０２の前面、背面、または隣接する両基板の間に位置してもよく、フレキシブル表示パネル１０２を構成する配線またはタッチセンサなどを形成するときに同時に形成されたり、追加でフレキシブル表示パネル１０２の表面に形成されてもよい。導電パターン１１２は導電性を有する導電体で形成されており、導電パターン１１２には制御部４００から供給された電圧によって電流が流れる。導電パターン１１２は、フレキシブル表示パネル１０２がハウジング２００に対して出入りする方向である第１方向に沿ってフレキシブル表示パネル１０２に形成されている。導電パターン１１２は、それぞれに制御部４００から供給された電圧によって電流が流れ、第１方向に沿って第１方向にいくほど第１方向と交差する第２方向に長さが漸進的に長くなるか短くなる。
【００５５】
導電パターン１１２がセンシングパターン３００上を通過すれば、互いに対応する導電パターン１１２とセンシングパターン３００の間に静電容量が形成されるが、センシング部４２０は静電容量によって変化が発生した導電パターン１１２の電流変化をセンシングすることにより、ハウジング２００に対して出入りして外部に露出したフレキシブル表示パネル１０２の表示面積がセンシング部４２０によってセンシングされる。フレキシブル表示パネル１０２がハウジング２００に対して第１方向に出入りするとき、センシングパターン３００と対向する導電パターン１１２の一面積がその位置に応じて異なることにより、導電パターン１１２の面積に応じて変化する静電容量によって導電パターン１１２に流れる電流に変化が発生し、これをセンシング部４２０がセンシングする。センシング部４２０によってセンシングされた電流変化が発生した導電パターン１１２の座標値はデジタル値に換算され、制御部４００に認識される。
【００５６】
以上のように、本発明の第２実施形態に係る表示装置は、センシング部４２０がフレキシブル表示パネル１０２に形成された導電パターン１１２の面積による電流変化を認識し、ハウジング２００に対して出入りして外部に露出したフレキシブル表示パネル１０２の表示面積をセンシングし、この表示面積に対応するイメージをフレキシブル表示パネル１０２に表示する。すなわち、フレキシブル表示パネル１０２のフレキシブル特性に最適化したイメージを表示する表示装置が提供される。
【００５７】
以下、図６および図７を参照しながら、本発明の第３実施形態に係る表示装置を説明する。
【００５８】
以下、第１実施形態と区別される特徴的な部分のみを抜粋して説明するが、説明が省略された部分は第１実施形態に基づく。
【００５９】
図６は、本発明の第３実施形態に係る表示装置を示す図である。図７は、本発明の第３実施形態に係る表示装置の背面を示す図である。
【００６０】
図６および図７に示すように、本発明の第３実施形態に係る表示装置は、フレキシブル表示パネル１０３、センシングパターン３０３、および制御部４０３を含む。
【００６１】
フレキシブル表示パネル１０３はフレキシブルな特性を有しており、フレキシブル表示パネル１０３の一領域（ＦＡ）が折り畳まれる。フレキシブル表示パネル１０３の一領域（ＦＡ）が折り畳まれながら、イメージ（ｉｍａｇｅ）が表示されるフレキシブル表示パネル１０３の表示面積が第１方向に可変的に外部に露出する。フレキシブル表示パネル１０３の一端部は、フレキシブル表示パネル１０３の一領域（ＦＡ）が折り畳まれることにより、第１方向上に位置するフレキシブル表示パネル１０３の板面と接する。フレキシブル表示パネル１０３は、イメージが表示されたり表示されない背面の板面に形成された導電パターン１１３を含む。
【００６２】
導電パターン１１３は、フレキシブル表示パネル１０３の前面、背面、または隣接する両基板の間に位置してもよく、フレキシブル表示パネル１０３を構成する配線またはタッチセンサなどを形成するときに同時に形成されたり、追加でフレキシブル表示パネル１０３の表面に形成されてもよい。導電パターン１１３は導電体で形成されており、導電パターン１１３上には絶縁体が形成されている。導電パターン１１３は、フレキシブル表示パネル１０３の一領域（ＦＡ）が折り畳まれて表示面積が可変的に露出する方向である第１方向に沿ってフレキシブル表示パネル１０３に形成されている。
【００６３】
センシングパターン３０３は、フレキシブル表示パネル１０３の一領域（ＦＡ）が折り畳まれることによって導電パターン１１３が形成されたフレキシブル表示パネル１０３の板面と接するフレキシブル表示パネル１０３の端部に位置している。フレキシブル表示パネル１０３の端部がフレキシブル表示パネル１０３の板面と接しながら、センシングパターン３０３は導電パターン１１３上に形成された絶縁体と接し、絶縁体に静電容量が形成され、この静電容量による導電パターン１１３の電流変化をセンシング部４２０がセンシングすることにより、センシング部４２０は第１方向に可変的に露出するフレキシブル表示パネル１０３の表示面積をセンシングする。
【００６４】
以上のように、本発明の第３実施形態に係る表示装置は、センシング部４２０がフレキシブル表示パネル１０３に形成された導電パターン１１３の電流変化をセンシングし、一領域（ＦＡ）が折り畳まれて可変的に外部に露出するフレキシブル表示パネル１０３の表示面積をセンシングし、この表示面積に対応するイメージをフレキシブル表示パネル１０３に表示する。すなわち、フレキシブル表示パネル１０３のフレキシブル特性に最適化したイメージを表示する表示装置が提供される。
【００６５】
特に、本発明の第３実施形態に係る表示装置は、フレキシブル表示パネル１０３の一端部に位置するセンシングパターン３０３とフレキシブル表示パネル１０３に形成された導電パターン１１３の間に形成される静電容量による導電パターン１１３の電流変化をセンシング部４２０が認識することにより、制御部４０３が一領域（ＦＡ）が折り畳まれて可変的に外部に露出するフレキシブル表示パネル１０３の表示面積をセンシングするため、フレキシブル表示パネル１０３の露出した板面が非線形的に曲がったとしても、正確に外部に露出したフレキシブル表示パネル１０３の表示面積をセンシングすることができる。すなわち、本発明の第３実施形態に係る表示装置は、フレキシブル表示パネル１０３の一領域（ＦＡ）が折り畳まれるとき、センシング部４２０がリアルタイムでフレキシブル表示パネル１０３の導電パターン１１３を電流変化を認識して外部に露出したフレキシブル表示パネル１０３の表示面積をセンシングするため、フレキシブル表示パネル１０３の露出した板面が柔軟に動いて非線形的に曲がったとしても、導電パターン１１３を利用して外部に露出した正確なフレキシブル表示パネル１０３の表示面積をセンシングし、この表示面積に対応するサイズのイメージを表示することができる。
【００６６】
さらに、本発明の第３実施形態に係る表示装置は、ハウジングに対して出入りするフレキシブル表示パネル１０３の表示面積をセンシングするのではなく、フレキシブル表示パネル１０３自体が折り畳まれて可変的に変化するフレキシブル表示パネル１０３の表示面積をセンシングするため、折り畳まれるフレキシブル表示パネル１０３に最適化したイメージがフレキシブル表示パネル１０３に表示される。これは、表示装置に対するユーザの全体的な満足度を向上させる要因として作用する。
【００６７】
また、本発明の第３実施形態に係る表示装置は、フレキシブル表示パネル１０３が折り畳まれる過程ではなく、折り畳まれた後にセンシング部４２０がフレキシブル表示パネル１０３に形成された複数のサブパターン１１３ａ〜１１３ｇのうちの一サブパターンを認識してフレキシブル表示パネル１０３の表示面積を直接センシングし、一サブパターンに対応するフレキシブル表示パネル１０３の露出した表示面積を直接認知するため、表示装置はどんな状況および条件であっても、表示装置に電源さえ供給されれば、フレキシブル表示パネル１０３の折り畳まれる過程のモニタリング（ｍｏｎｉｔｏｒｉｎｇ）なく、現在露出している表示面積に対応する一サブパターンを認知し、その露出した表示面積に対応するサイズのイメージを表示する。すなわち、本発明の第３実施形態に係る表示装置は、センシング部４２０が電流が変化した複数のサブパターン１１３ａ〜１１３ｇそれぞれを独立的に区分して認知することにより、電源が突然切れた後に点いたり、フレキシブル表示パネル１０３に対する多様な折り畳み動作などのイベントが発生しても、追加の構成なく露出した表示面積に対応するサイズのイメージを表示する。
【００６８】
以下、図８〜図１１を参照しながら、本発明の第４実施形態に係る表示装置を説明する。
【００６９】
以下、第１実施形態と区別される特徴的な部分のみを抜粋して説明するが、説明が省略された部分は第１実施形態に基づく。
【００７０】
図８は、本発明の第４実施形態に係る表示装置を示す図である。図９は、本発明の第４実施形態に係る表示装置のフレキシブル表示パネルを示す図である。図１０および図１１は、本発明の第４実施形態に係る表示装置のセンシング方法を説明するための図である。
【００７１】
図８〜図１１に示すように、フレキシブル表示パネル１０４は、イメージが表示されたり表示されない背面の一領域に位置する導電パターン１１４を含む。
【００７２】
一方、本発明の第４実施形態に係る表示装置は、導電パターン１１４がイメージが表示されたり表示されないフレキシブル表示パネル１０４背面の一領域に位置するが、これに限定されることはなく、本発明の他の実施形態に係る表示装置の導電パターンは、イメージが表示されたり表示されないフレキシブル表示パネル前面の一領域に位置してもよい。
【００７３】
導電パターン１１４は、フレキシブル表示パネル１０４の前面、背面、または隣接する両基板の間に位置してもよく、フレキシブル表示パネル１０４を構成する配線またはタッチセンサなどを形成するときに同時に形成されたり、追加でフレキシブル表示パネル１０４の表面に形成されてもよい。導電パターン１１４は、導電性を有する導電体で形成されている。導電パターン１１４は、フレキシブル表示パネル１０４がハウジング２００に対して出入りする方向である第１方向に沿ってフレキシブル表示パネル１０４に形成されている。導電パターン１１４は、第１方向に沿って互いに離隔配置された複数のサブパターン１１４ａ〜１１４ｈを含む。複数のサブパターン１１４ａ〜１１４ｈは、第１方向でそれぞれが互いに異なる長さを有している。具体的に、複数のサブパターン１１４ａ〜１１４ｈは、第１方向にいくほど第１方向と交差する第２方向に長さが漸進的に長くなるか短くなり、複数のサブパターン１１４ａ〜１１４ｈのうちの一端部サブパターン１１４ａから他端部サブパターン１１４ｈまでの複数のサブパターン１１４ａ〜１１４ｈそれぞれは、第１方向にいくほど第１方向と交差する第２方向に長さが漸進的に短くなる。これとは反対に、複数のサブパターン１１４ａ〜１１４ｈのうちの他端部サブパターン１１４ｈから一端部サブパターン１１４ａまでの複数のサブパターン１１４ａ〜１１４ｈそれぞれは、第１方向にいくほど第１方向と交差する第２方向に長さが漸進的に長くなる。
【００７４】
ハウジング２００の内部には、センシングパターン３０４が位置している。
【００７５】
センシングパターン３０４は、フレキシブル表示パネル１０４に形成された導電パターン１１４と対応し、第１方向上でハウジング２００の内部に位置している。センシングパターン３０４は、第１方向に離隔した第１サブセンシングパターン３１０および第２サブセンシングパターン３２０を含む。第１サブセンシングパターン３１０および第２サブセンシングパターン３２０それぞれには、制御部４０４から電圧が供給される。センシングパターン３０４は導電パターン１１４と互いに接触するが、第１サブセンシングパターン３１０と第２サブセンシングパターン３２０が互いに離隔し、第１サブセンシングパターン３１０と第２サブセンシングパターン３２０それぞれに制御部４０４から電圧が供給された状態で、第１サブセンシングパターン３１０と第２サブセンシングパターン３２０の間に導電パターン１１４が接触するため、センシングパターン３０４には電流が流れるようになる。
【００７６】
制御部４０４は、第１サブセンシングパターン３１０および第２サブセンシングパターン３２０それぞれに電圧を供給する電圧部４１０、およびセンシングパターン３０４に流れる電流をセンシングするセンシング部４２０を含む。第１サブセンシングパターン３１０と第２サブセンシングパターン３２０が互いに離隔し、第１サブセンシングパターン３１０と第２サブセンシングパターン３２０それぞれに制御部４０４から電圧が供給された状態で、第１サブセンシングパターン３１０と第２サブセンシングパターン３２０の間に導電パターン１１４が接触すれば、第１サブセンシングパターン３１０と第２サブセンシングパターン３２０には電流が流れる。このとき、第１サブセンシングパターン３１０と第２サブセンシングパターン３２０の間に接触する複数のサブパターン１１４ａ〜１１４ｈそれぞれの長さに応じて第１サブセンシングパターン３１０と第２サブセンシングパターン３２０の間に接触面積が変化することにより、センシングパターン３０４に流れる電流が変化するため、このようなセンシングパターン３０４に流れる電流の変化をセンシング部４２０がセンシングし、ハウジング２００に対して出入りして外部に第１方向に沿って可変的に露出するフレキシブル表示パネル１０４の表示面積が制御部４０４のセンシング部４２０によってセンシングされる。
【００７７】
以上のように、本発明の第４実施形態に係る表示装置は、制御部４０４のセンシング部４２０がフレキシブル表示パネル１０４に形成された導電パターン１１４によるセンシングパターン３０４の電流変化をセンシングし、ハウジング２００に対して出入りして外部に露出したフレキシブル表示パネル１０４の表示面積をセンシングし、この表示面積に対応するイメージをフレキシブル表示パネル１０４に表示する。すなわち、フレキシブル表示パネル１０４のフレキシブル特性に最適化したイメージを表示する表示装置が提供される。
【００７８】
さらに、本発明の第４実施形態に係る表示装置は、ロール部２１０の回転数をカウントして間接的にフレキシブル表示パネル１０４の表示面積をセンシングしたり、赤外線または超音波などの距離測定手段を利用して広がった後のフレキシブル表示パネル１０４の表示面積をセンシングするのではなく、フレキシブル表示パネル１０４のフレキシブルな特性を考慮した上で、ハウジング２００に対してフレキシブル表示パネル１０４が出入りするとき、導電パターン１１４によるセンシングパターン３０４の電流変化をリアルタイムで認識してフレキシブル表示パネル１０４の露出した表示面積をセンシングするため、フレキシブル表示パネル１０４の可変的な表示面積に対応する正確な大きさのイメージが可変的にフレキシブル表示パネル１０４に表示される。これは、表示装置に対するユーザの全体的な満足度を向上させる要因として作用する。
【００７９】
また、本発明の第４実施形態に係る表示装置は、ハウジング２００に対してフレキシブル表示パネル１０４が第１方向に出入りするとき、センシングパターン３０４がフレキシブル表示パネル１０４に形成された複数のサブパターン１１４ａ〜１１４ｈ全体に対する順序を認識するのではなく、センシング部４２０がセンシングパターン３０４の電流変化を認識して複数のサブパターン１１４ａ〜１１４ｈそれぞれに対応するフレキシブル表示パネル１０４の表示面積それぞれをセンシングすることにより、複数のサブパターン１１４ａ〜１１４ｈそれぞれに対応するフレキシブル表示パネル１０４の露出した表示面積それぞれを直接認知するため、表示装置はどんな状況および条件であっても、表示装置に電源さえ供給されれば、ハウジング２００に対するフレキシブル表示パネル１０４の出入過程のモニタリング（ｍｏｎｉｔｏｒｉｎｇ）なく、現在露出している表示面積に対応するサブパターンを認知し、その露出した表示面積に対応するサイズのイメージを表示する。すなわち、本発明の第４実施形態に係る表示装置は、センシング部４２０がセンシングパターン３０４の電流変化を認識して複数のサブパターン１１４ａ〜１１４ｈそれぞれを独立的に区分して認知することにより、電源が突然切れた後に点いたり、フレキシブル表示パネル１０４を広げた後に一定部分が再び巻き戻るなどのイベントが発生しても、追加の構成なく露出した表示面積に対応するサイズのイメージを表示する。
【００８０】
本発明を上述した好ましい実施形態を参照しながら説明したが、本発明はこれに限定されることはなく、添付の特許請求の範囲の概念と範囲を逸脱しない限り、多様な修正および変形が可能であるということは、本発明が属する技術分野に従事する者は容易に理解できるであろう。
【符号の説明】
【００８１】
１００：フレキシブル表示パネル
１１０：導電パターン
３００：センシングパターン
４００：制御部
【図１】
2014002348.tif 000003
【図２】
2014002348.tif 000004
【図３】
2014002348.tif 000005
【図４】
2014002348.tif 000006
【図５】
2014002348.tif 000007
【図６】
2014002348.tif 000008
【図７】
2014002348.tif 000009
【図８】
2014002348.tif 000010
【図９】
2014002348.tif 000011
【図１０】
2014002348.tif 000012
【図１１】
2014002348.tif 000013